(57)【特許請求の範囲】
【請求項１】
画像情報を格納する画像記憶手段と、該画像記憶手段に記憶されている画像情報を管理するための管理情報のうち少なくとも前記画像記憶手段に対応する画像情報が格納されているアドレスを含む基本管理情報を保持する管理情報記憶手段を有し、前記管理情報のうち前記基本管理情報以外の詳細管理情報を前記画像記憶手段に格納することを特徴とする画像情報管理装置。
【請求項２】
前記画像記憶手段は、前記画像情報に対して所定の単位で、該単位に対応する前記詳細管理情報を格納可能であることを特徴とする請求項１に記載の画像情報管理装置。
【請求項３】
前記画像記憶手段は、前記詳細管理情報が不要であれば格納しないことを特徴とする請求項１または請求項２に記載の画像情報管理装置。
【発明の詳細な説明】
【０００１】
【発明の属する技術分野】
本発明は、画像情報を、その管理情報とともに格納して管理する画像情報管理装置に関するものである。
【０００２】
【従来の技術】
画像情報管理装置は、画像情報をそれぞれ個別に管理するために、各種の管理情報を有している。例えば各画像情報を個別に識別するためにＩＤ情報を有していたり、それぞれの画像情報へのアクセスの利便性を向上させるため、画像情報の格納アドレス等を画像情報とは別に記憶している。
【０００３】
このほかにも、画像情報に関するあらゆる情報を管理情報として保持している。例えばファクシミリ装置のように通信機能を有する装置に組み込まれる場合には、例えば符号化方式や線密度などの情報が管理情報として格納される。また、複写機能を有する装置に組み込まれる場合には、例えば回転方向など、各種の複写機能のための情報が管理情報として格納される。
【０００４】
近年、画像情報管理装置を組み込んだ装置の機能が向上し、管理情報として格納する項目も増加の一途を辿っている。そのため、管理情報として格納する項目の増加とともに、管理情報のデータ量が増加する。従来の画像情報管理装置では、管理情報を画像情報とは別に管理し、上述のように画像情報の格納アドレス等により画像情報と関連づけている。上述のように管理情報として格納する項目が増加し、管理情報のデータ量が増加すると、それに伴い、管理情報を格納するための記憶領域を拡大して行く必要があるという問題があった。
【０００５】
さらに、管理情報として格納する項目が増加するたびに、管理情報のデータ構造を変更しなければならない。最近の機能向上はめざましく、頻繁にデータ構造の変更が必要になっている。そのため、データ構造の変更に対応してゆくための負担が増大しており、また、画像情報管理装置を利用する側での対応も負担となっていた。
【０００６】
【発明が解決しようとする課題】
本発明は、上述した事情に鑑みてなされたもので、画像情報を管理するための管理情報が増大した場合でも、管理情報を格納する領域の増大を抑制し、また管理情報の増大に伴う負担を軽減した画像情報管理装置を提供することを目的とするものである。
【０００７】
【課題を解決するための手段】
本発明は、画像情報を格納する画像記憶手段と、該画像記憶手段に記憶されている画像情報を管理するための管理情報のうち少なくとも前記画像記憶手段に対応する画像情報が格納されているアドレスを含む基本管理情報を保持する管理情報記憶手段を有する画像情報管理装置であって、管理情報のうち基本管理情報以外の詳細管理情報を画像記憶手段に格納することを特徴とするものである。
【０００８】
このように、管理情報のうち少なくとも前記画像記憶手段に対応する画像情報が格納されているアドレスを含む基本管理情報を管理情報記憶手段に、他の詳細管理情報を画像情報とともに画像記憶手段に格納することによって、管理情報が増大した場合でも画像記憶手段を用いて増大した分の管理情報を格納することができる。そのため、管理情報の増大による管理情報記憶手段の記憶容量の増大を抑制することができる。また、基本管理情報を変更せずに管理情報の追加を行うことができるので、基本管理情報を利用する部分についての負担を軽減することができる。
【０００９】
また、画像記憶手段は、前記画像情報に対して所定の単位で、該単位に対応する前記詳細管理情報を格納可能に構成することができ、単位毎の画像情報の管理を行うことができる。さらに、詳細管理情報が不要であれば画像記憶手段に格納しないように構成することができ、画像記憶手段の記憶領域を有効に活用することができる。
【００１０】
【発明の実施の形態】
図１は、本発明の画像情報管理装置の実施の一形態を含むファクシミリ装置の一例を示すブロック図である。図中、１１は主制御部、１２は表示部、１３は操作部、１４は読取部、１５は記録部、１６はＮＣＵ、１７はモデム、１８は画像メモリ、１９はインデックス情報記憶部、２０は画像情報記憶部、２１はＲＡＭ、２２はＲＯＭ、２３はバスである。
【００１１】
主制御部１１は、装置全体を制御し、各部を動作させて、画像送受信機能、コピー機能などを実現する。コピー機能としては、複数枚のコピーや電子ソート機能などのように、読取部１４で読み取った画像を一旦画像メモリ１８に蓄積した後、記録部１５から記録出力する機能も含まれている。また、画像送信機能として、読取部１４で読み取った画像を一旦画像メモリ１８に蓄積した後に送信するメモリ送信機能を、画像受信機能として、受信した画像を一旦画像メモリ１８に蓄積した後に記録部１５から記録出力するメモリ受信機能も有している。
【００１２】
このような各機能において画像を画像メモリ１８に蓄積する際には、読取部１４で読み取ったり、あるいは受信した画像情報を画像情報記憶部２０に格納する。それとともに、その画像情報を管理するための管理情報のうち、少なくとも必須の情報を含む基本管理情報をインデックス情報記憶部１９に格納する。また、基本管理情報以外の管理情報も格納する必要がある場合には、その管理情報を詳細管理情報として画像情報とともに画像情報記憶部２０に格納する。また、画像メモリ１８に格納されている画像情報を記録部１５から記録出力したり、あるいは、送信する場合には、まず、その画像情報に対応する基本管理情報をインデックス情報記憶部１９から取り出す。また、取り出した基本管理情報中に詳細管理情報が存在する旨の情報が含まれていれば、必要に応じて画像情報記憶部２０から詳細管理情報を取り出す。このようにして読み出す画像情報に対応する各種の管理情報を取得して、記録出力あるいは送信時の各種の設定を行う。その後、画像情報を画像情報記憶部２０から読み出して、記録出力あるいは送信を行う。
【００１３】
表示部１２は、使用者に対するメッセージや、装置の状態を示すメッセージ、操作ガイダンスなど、種々の情報を表示することができる。操作部１３は、利用者が各種の設定や指示などを行う際に用いられる。この表示部１２及び操作部１３を用いて、例えば送信機能あるいはコピー機能の選択や、選択した機能の実行指示、さらに選択した機能に関する各種の設定を行うことができる。
【００１４】
読取部１４は、イメージスキャナやデジタルカメラなどの画像入力装置によって構成されており、送信あるいはコピーすべき画像情報を読み取る。記録部１５は、受信した画像あるいはコピー画像などを、主制御部１１の制御に従って記録紙上に記録する。記録方法としては、例えば電子写真方式やインクジェット方式など、種々の方式を採用することができる。
【００１５】
ＮＣＵ１６は、回線を制御して外部機器との通信を行う。また、モデム１７は、送受信する画像データの変復調を行う。このＮＣＵ１６及びモデム１７を用いて、他のファクシミリ装置などとの間で画像の送受信を行うことができる。
【００１６】
画像メモリ１８は、送信する画像データや受信した画像データ、読取部１４で読み取った画像データ、記録部１５で記録すべき画像データ、その他処理中の画像データなどを蓄積する。画像メモリ１８には、インデックス情報記憶部１９と画像情報記憶部２０が設けられている。インデックス情報記憶部１９は、画像情報記憶部２０に記憶されている画像情報を管理するための管理情報のうち、少なくとも必須の情報を含む基本管理情報を保持し、管理情報記憶手段として機能する。また画像情報記憶部２０は、画像情報を保持するとともに、各画像情報を管理するための管理情報のうち、基本管理情報以外の管理情報である詳細管理情報を保持し、画像記憶手段として機能する。
【００１７】
ＲＡＭ２１は、主制御部１１や他の各部の処理においてデータの保存が必要なときに用いられる。なお、このＲＡＭ２１にインデックス情報記憶部１９を設けてもよい。また、画像メモリ２０とＲＡＭ２１が一体であってもよい。ＲＯＭ２２は、主制御部１１の動作を規定したプログラムや、固定的なデータなどが格納されている。
【００１８】
バス２３は、主制御部１１、表示部１２、操作部１３、読取部１４、記録部１５、ＮＣＵ１６、モデム１７、画像メモリ１８、ＲＡＭ２１、ＲＯＭ２２等を相互に接続しており、これらの間のデータ転送を可能にしている。もちろん、これらのほか、外部記憶装置など、各種の機器がバス２３に接続されていてもよい。また、例えば外部のコンピュータなどと接続されるインタフェースを有し、このインタフェースを介して画像情報の入出力が行えるように構成されていてもよい。
【００１９】
図２は、インデックス情報記憶部及び画像情報記憶部の一例の説明図である。図２に示す例では、インデックス情報記憶部１９は画像情報記憶部２０に格納されている画像情報の１ページごとに１つのレコードを有するテーブルとして構成されている。各レコードは基本管理情報を示しており、この例では、Ｎｏ．、ページ、種別、格納先アドレス、詳細管理情報の有無、線密度、サイズ、符号化方式の項目によって構成されている。
【００２０】
Ｎｏ．の項目は、画像情報記憶部２０に格納されている１ページ単位の画像情報をそれぞれ一意に特定するために付与される番号である。ページの項目は、画像情報が何ページ目の画像かを示している。種別の項目は、その画像情報がコピー機能、画像受信機能、画像送信機能の何れの機能において格納されたものかを示している。図２において「ＲＸ」は画像受信機能において受信した画像情報であることを示し、「コピー」はコピー機能において一時的に格納した画像情報であることを示している。
【００２１】
格納先アドレスの項目は、画像情報記憶部２０において対応する画像情報が格納されている先頭アドレス（詳細管理情報が画像情報とともに格納されている場合には、詳細管理情報の先頭アドレス）を示している。なおこの例では、画像情報記憶部２０の記憶領域をブロック単位で管理しているため、格納先アドレスの項目にはアドレスとしてブロック番号を格納している。
【００２２】
詳細管理情報の有無の項目は、画像情報記憶部２０に、対応する画像情報とともに詳細管理情報が格納されているか否かを示している。この例では、値が「０」の場合には詳細管理情報は存在せず、「１」の場合には画像情報記憶部２０に詳細管理情報が格納されていることを示している。なお、画像情報記憶部２０に必ず詳細管理情報の領域を確保する場合には、この項目を設けなくてもよい。
【００２３】
線密度の項目は、画像情報記憶部２０に格納されている画像情報の線密度を示している。例えば画像送信機能あるいは画像受信機能においては、１ｍｍあたり３．８５ライン、７．７ライン、１５．４ラインなどの線密度が一般的に設定される。この項目では、このような線密度の情報が格納される。サイズの項目は、例えばＡ４、Ｂ４、Ａ３といった画像情報の大きさや、縦方向、横方向といった向きなどを含めたサイズ情報が格納される。符号化方式の項目には、特に画像送信機能あるいは画像受信機能において、送信する際の符号化方式あるいは受信した画像に用いられている符号化方式が格納される。例えばＭＭＲ、ＭＲ、ＭＨ、ＪＢＩＧなどの符号化方式を特定する情報を格納しておくことができる。またコピー機能の際にも画像を符号化して画像情報記憶部２０に格納することができ、その場合には符号化したときの符号化方式を示す。もちろん、符号化せずに画像情報記憶部２０に格納することも可能であり、その場合には符号化していないことを示す情報を符号化方式として格納すればよい。
【００２４】
インデックス情報記憶部１９は、このような項目を有する固定長のレコードの集合として構成することができる。これによって、各レコード（基本管理情報）へのアクセスを容易に行うことができる。また、インデックス情報記憶部１９の記憶領域も固定しておくとよい。なお、この例では基本管理情報を各ページごとに格納する例を示したが、例えばジョブごととするなど、基本管理情報を設ける単位は任意である。
【００２５】
画像情報記憶部２０は、所定容量ごとのブロックで記憶領域を管理しており、画像情報のデータ量に応じて１ないし複数ブロックを用いて画像情報を記憶する。この例では、画像情報１及び画像情報２とも、３ブロックを用いて記憶している。
【００２６】
それぞれの画像情報の先頭には、必要に応じて詳細管理情報を格納することができる。詳細管理情報には、インデックス情報記憶部１９に格納しなかった管理情報が、必要に応じて格納される。例えば、画像情報のドット数やライン数、総バイト量などの画像情報の大きさを示す情報や、基本管理情報に含まれている線密度の単位（例えばインチあるいはミリ）を表す情報、さらには画像の回転方向を示す情報などを格納することができる。これらは一例であって、この詳細管理情報には、各種の機能を実行する上で必要となる各種の管理情報を含めておくことができる。例えば機能の追加などによって画像情報とともに格納しておかなければならない情報が生じた場合には、その情報をこの詳細管理情報に含めることができる。そのため、機器の機能向上に容易に対応することができる。また、機能を拡張したときでも、インデックス情報記憶部１９のデータ構造を変更しなくてよいので、基本管理情報を利用する際の負担を軽減することができる。
【００２７】
なお、この詳細管理情報は、基本管理情報中の詳細管理情報の有無の項目で詳細管理情報があると示されている場合に、画像情報記憶部２０に格納される。また、この詳細管理情報を格納する領域は固定長としておくことによって、後続の画像情報の取り出しを容易に行うことができる。
【００２８】
管理情報として画像情報に対応付けて格納しておかなければならない項目のうち、例えばＮｏ．や格納先アドレスのようにインデックス情報記憶部１９に必ず格納しておく管理情報と、必ずしもインデックス情報記憶部１９に格納しなくてもよい管理情報がある。インデックス情報記憶部１９に必ず格納しておく管理情報以外は、基本管理情報あるいは詳細管理情報の何れに含めてもよい。しかし、例えば各機能で共通して利用したり、利用頻度の高い管理情報については基本管理情報に含め、その他の管理情報を詳細管理情報に含めるように構成するとよい。
【００２９】
図２に示した構成では、基本機能を用いたファクシミリ送受信及びコピーの際に利用する管理情報を基本管理情報としてインデックス情報記憶部１９に格納している。これによって、基本機能を利用したファクシミリ送受信及びコピーの際には、画像情報記憶部２０内に詳細管理情報を格納せずに基本管理情報のみで対応することができる。そのため、インデックス情報記憶部１９には、応用機能まで含めたすべての管理情報を格納する必要がなくなり、機能拡張に伴うインデックス情報記憶部１９の記憶容量の増大を防ぐことができる。また、図２に示すように不要であれば詳細管理情報を格納しないことによって、管理情報を記憶するために必要となる全体的な容量も削減することが可能である。
【００３０】
次に、本発明の画像情報管理装置の実施の一形態を含むファクシミリ装置の動作の一例について説明する。図３は、コピー機能において読み取った画像を画像メモリに格納する場合の動作の一例を示すフローチャートである。コピー機能を利用してコピーを行う場合には、まずＳ３１において、表示部１２及び操作部１３を用い、コピー機能を選択するとともに各種のコピー機能における設定を行う。例えば画質の設定や倍率設定、用紙設定などを行うことができる。このとき、例えば電子ソート機能や自動回転機能など、応用機能を設定することもできる。
【００３１】
このような各種の設定が終了した後、コピー機能の開始の操作が行われると、読取部１４における画像の読取動作が開始する。なお、読取開始時点でページＮｏ．は０にリセットしておく。画像の読取に先立ち、Ｓ３２において、まず原稿の幅を検出し、１主走査ラインにおけるドット数を設定する。この時点で、自動的に各種の設定値を設定することができる。例えば自動回転機能を利用する場合、このドット数と設定されている用紙サイズから回転方向なども設定できる。また、倍率など、他の設定値も自動的に設定可能である。
【００３２】
Ｓ３３においてページＮｏ．に１を加算し、またライン数を０に初期化しておく。その後、Ｓ３４において原稿上の画像を１ライン読み取る。この時点で、例えば拡大あるいは縮小の処理など、各種の処理を行っておいてもよい。また、ここでは一例として、コピー機能において読み取った画像情報に対しても符号化するものとしており、一例としてＭＭＲ方式により符号化する。また、Ｓ３５においてライン数に１を加算しておく。Ｓ３６において１ページ分の読取が完了したか否かを判定し、１ページ分の読取が完了するまで、Ｓ３４〜Ｓ３６の読取動作を繰り返し行う。
【００３３】
１ページ分の読取を終了すると、Ｓ３７において、読み取った１ページ分の画像情報を画像メモリ１８に格納する処理を行う。このとき、管理情報として少なくともページＮｏ．、種別情報（この場合はコピー）、画質の設定から得られる線密度、サイズの情報を基本管理情報とする。また、応用機能が設定されている場合には、その他の情報を詳細管理情報とし、１ページ分の画像情報とともに格納する。この画像メモリ１８への格納処理については後述する。
【００３４】
Ｓ３８において、全ページの画像読取が終了したか否かを判定し、まだ読み取るべき原稿が残っている場合には、Ｓ３２へ戻って読取処理を繰り返し行う。全ページの読み取りを終了したら、コピー機能における画像の読取処理を終了する。
【００３５】
なお、画像送信機能において送信すべき画像を読取部１４で読み取って画像メモリ１８に格納する動作も、上述のコピー機能の場合とほぼ同様である。しかし、画像送信機能を利用する際には、Ｓ３７において画像メモリ１８に画像情報及び管理情報を格納する際の管理情報が異なる。例えば基本管理情報中の種別情報は「ＴＸ」となる。線密度やサイズなどは、設定された値となる。また符号化方式は送信モードなどによって設定される。
【００３６】
図４は、画像受信機能において受信した画像を画像メモリに格納する場合の動作の一例を示すフローチャートである。ＮＣＵ１６で回線からの着信を検出すると、画像受信機能が開始される。なお、ページＮｏ．は０に初期化しておく。
【００３７】
ＩＴＵ−Ｔ勧告で決められたファクシミリ手順に従い、Ｓ４１においてＤＩＳ信号を送出し、Ｓ４２においてＤＣＳ信号を受信する。Ｓ４３において、受信したＤＣＳ信号から、原稿幅や線密度、符号化方式などを検出する。
【００３８】
Ｓ４４においてページＮｏ．に１を加えた後、１ページ分の画像情報の受信処理を行う。すなわち、ライン数を０に初期化した後、Ｓ４５において１ライン分の画像情報を受信し、Ｓ４６でライン数に１を加算する。Ｓ４７において１ページの画像情報を受信し終えたか否かを判定し、ページの途中であればＳ４５へ戻ってラインごとの受信処理を行う。このようなラインごとの受信処理を行い、１ページ分の画像情報を受信する。１ページ分の画像情報を受信し終えた時点で、受信した画像情報のライン数がカウントされている。
【００３９】
１ページ分の画像情報を受信し終えると、Ｓ４８において、受信した１ページ分の画像情報を画像メモリ１８に格納する処理を行う。このとき、Ｓ４３においてＤＣＳ信号から検出した原稿幅や線密度、符号化方式などや、カウントしているライン数やページＮｏ．等を管理情報として、画像情報に対応付けて画像メモリ１８に格納する。なお、これらの情報をそのまま管理情報として格納せず、例えば原稿幅とライン数から特定のサイズであると判定できれば、そのサイズの情報を管理情報としてもよい。また、画像受信機能において受信した画像情報を画像メモリ１８に格納する際に、管理情報として格納する種別情報は「ＲＸ」とする。この画像メモリ１８への格納処理については後述する。
【００４０】
Ｓ４９において、全ページの画像情報の受信が終了したか否かを判定する。さらに次の画像情報が送られてくる場合には、Ｓ５０において受信モードが変更されたか否かを判定し、受信モードに変更がなければＳ４４へ戻ってそのまま次のページの画像情報を受信する。受信モードに変更があればＳ４３へ戻って変更された原稿幅、線密度、符号化方式などを検出してから、次のページの画像情報を受信する。すべてのページの画像情報を受信し終えたら、回線を切断して、画像情報の受信時の処理を終了する。
【００４１】
図５は、画像メモリへの画像情報の格納処理の一例を示すフローチャートである。ここでは、図３のＳ３７において、読取部１４で読み取った画像情報を画像メモリ１８に格納する場合、及び、図４のＳ４８において、受信した画像情報を画像メモリ１８に格納する場合に行う処理の一例について示している。図５に示す処理は、呼び出される際に、画像情報とともに各種の管理情報も渡されるものとする。
【００４２】
まずＳ６１において、画像メモリ１８のインデックス情報記憶部１９に管理情報のうちの基本管理情報を格納する。例えば図２に示したような項目を基本管理情報とするとき、新たなＮｏ．のレコードとして、ページＮｏ．、種別、線密度、サイズ、符号化方式などの情報を格納する。また、これから詳細管理情報や画像情報を格納する画像情報記憶部２０の領域の先頭アドレス（ブロック）を、格納先アドレスとして格納する。さらに、基本管理情報以外の管理情報が存在し、詳細管理情報として格納する必要がある場合には、詳細管理情報の有無として例えば「１」を格納し、詳細管理情報が存在することを示す。
【００４３】
続いてＳ６２において、詳細管理情報が存在するか否かを判定し、詳細管理情報が存在する場合のみ、Ｓ６３において、インデックス情報記憶部１９の格納先アドレスで示されるアドレス（ブロック）の先頭から所定の領域に、詳細管理情報を格納する。例えば図３や図４に示す処理において計数したライン数を、基本管理情報のサイズの情報とは別に格納しておかなければならない場合には、詳細管理情報として画像情報記憶部２０に格納される。このほか、例えば原稿幅方向のドット数や画像情報全体の画素数（バイト数）、基本管理情報として格納されている線密度に対する単位系の指定、コピー機能利用時の画像情報の回転方向の指定など、基本管理情報以外の種々の管理情報を詳細管理情報として格納する。
【００４４】
このようにして管理情報を格納した後、画像情報を格納する。ここでは画像情報は画像情報記憶部２０のブロックごとに格納して行く。Ｓ６４において、インデックス情報記憶部１９の格納先アドレスで示されるアドレス（ブロック）の先頭から１ブロック分の画像情報を画像情報記憶部２０に格納する。このとき、Ｓ６３において詳細管理情報をブロックの先頭から所定の領域に格納した場合には、詳細管理情報に続けて、そのブロックの残りの部分に画像情報を格納する。
【００４５】
Ｓ６５において、１ページ分の画像情報を格納し終えたか否かを判定する。まだ格納せずに残っている画像情報があれば、Ｓ６６において、次のブロックに１ブロック分までの画像情報を格納し、Ｓ６５へ戻る。このようにして１ページ分の画像情報をすべて格納したら、この画像メモリ１８への画像情報の格納処理を終了する。
【００４６】
上述のようにして画像メモリ１８に画像情報及び管理情報を格納した後、例えば図３に示したコピー機能時および図４に示した画像受信機能時には、画像メモリ１８に格納された画像情報を読み出して、記憶部１５において被記録媒体に記録する記録処理が起動される。記録処理では、インデックス情報記憶部１９に格納されている基本管理情報を参照し、種別が「ＲＸ」、「コピー」のものを選択する。そして、そのうちのページの情報が１ページ目のものから順に、他の基本管理情報と、画像情報記憶部２０に詳細管理情報が格納されていれば、格納されている詳細管理情報を読み出す。さらに、画像情報を読み出し、先に読み出した管理情報に従って画像情報の記録を行う。
【００４７】
例えば図２においてインデックス情報記憶部１９の２行目に示した基本管理情報を選択している場合、基本管理情報から線密度（１５．４）、サイズ（Ａ４）、符号化方式（ＭＭＲ）の情報を取得するとともに、詳細管理情報の有無の情報が「１」であるので格納先アドレスで示されたブロックの先頭から所定領域に格納されている詳細管理情報を取得する。例えば詳細管理情報として９０°回転の情報が格納されているものとする。
【００４８】
そして、詳細管理情報の続きから３ブロックにわたり画像情報を取得するとともに、符号化方式（ＭＭＲ）に従って復号し、９０°回転処理を行ったり、線密度の情報に従って必要に応じて画素密度変換処理を行った後、サイズ（Ａ４）に従って用紙を選択して画像を記録すればよい。
【００４９】
このような記録処理の場合、最低限、基本管理情報があれば画像情報の記録処理を行うことができ、他の応用機能に対応する詳細管理情報は任意である。そのため、上述のように詳細管理情報を基本管理情報と分離しておけば、詳細管理情報が不要であれば詳細管理情報を格納する領域を設けずに済ますことが可能である。これによって、インデックス情報記憶部１９の領域の肥大化を防止するとともに、記憶効率を向上させることができる。
【００５０】
また、画像送信機能において画像情報を画像メモリ１８に格納した場合には、インデックス情報記憶部１９に格納されている基本管理情報中の種別の情報が「ＴＸ」のものを選択する。そして、そのうちのページの情報が１ページ目のものから順に、モデム１７，ＮＣＵ１６を介して、相手先装置へ送信すればよい。送信開始時においては、ファクシミリ手順の中で相手先装置とのネゴシエーションを行うが、このとき、基本管理情報及び詳細管理情報として格納されている管理情報を適宜用いることができる。この場合にも、送信時に必須の情報は基本管理情報として記憶されているので、詳細管理情報がなくても基本的な送信機能を実行することができる。これによって、インデックス情報記憶部１９の領域の増大を防止し、記憶効率の向上を図ることができる。
【００５１】
なお、上述のように記録処理や送信処理においては、詳細管理情報が格納されている場合には画像情報よりも先に詳細管理情報を利用する場合が多いので、詳細管理情報はアクセスしやすい位置、例えば図２に示したように画像情報の先頭などに格納しておくとよい。もちろん、画像情報の最後尾に付加してもかまわない。
【００５２】
上述の説明では、コピー機能とファクシミリ送受信機能が搭載されたファクシミリ装置に本発明の画像情報管理装置を適用した例を示したが、本発明はこれに限られるものではない。例えばファクシミリ送受信機能単体のファクシミリ装置や、コピー機能のみの複写装置、さらにはプリンタや画像データベースなど、画像を扱うあらゆる装置に対して適用可能である。
【００５３】
【発明の効果】
以上の説明から明らかなように、本発明によれば、必須の管理情報を含む基本的な管理情報のみを管理情報記憶手段に格納し、他の詳細管理情報は画像記憶手段に格納するので、例えば管理情報が増加しても詳細管理情報として追加すればよい。そのため、管理情報が増大した場合でも管理情報記憶手段が記憶するデータ量は増大せず、データ構造も変更する必要がないので、管理情報の増大に伴う負担を軽減することができる。また、詳細管理情報が不要であれば格納しないように構成することによって、管理情報が増加しても管理情報全体のデータ量を削減することができ、記憶領域を有効に利用することが可能になるという効果がある。
【図面の簡単な説明】
【図１】本発明の画像情報管理装置の実施の一形態を含むファクシミリ装置の一例を示すブロック図である。
【図２】インデックス情報記憶部及び画像情報記憶部の一例の説明図である。
【図３】コピー機能において読み取った画像を画像メモリに格納する場合の動作の一例を示すフローチャートである。
【図４】画像受信機能において受信した画像を画像メモリに格納する場合の動作の一例を示すフローチャートである。
【図５】画像メモリへの画像情報の格納処理の一例を示すフローチャートである。
【符号の説明】
１１…主制御部、１２…表示部、１３…操作部、１４…読取部、１５…記録部、１６…ＮＣＵ、１７…モデム、１８…画像メモリ、１９…インデックス情報記憶部、２０…画像情報記憶部、２１…ＲＡＭ、２２…ＲＯＭ、２３…バス。
【図１】
0003807474.tif 000002
【図２】
0003807474.tif 000003
【図３】
0003807474.tif 000004
【図４】
0003807474.tif 000005
【図５】
0003807474.tif 000006